(57)【要約】【課題】  ＰＯＳ端末装置におけるポイント付与処理に関し、クレジットカードを使用した場合に当該クレジットカードの種別に応じてポイントの付与を行うＰＯＳ端末装置とポイント付与プログラムを提供することを目的とする。【解決手段】  本発明のＰＯＳ端末装置は、クレジットカードの使用の有無で付与するポイント数をカード種別毎に予めカードポイント記憶部に記憶しておき、顧客が購入した商品の精算にクレジットカードを使用する場合に、当該クレジットカードの種別を判定してカードポイント記憶部を参照し、該当するカード種別のポイントを付与するよう構成する。【選択図】    図１
2005174252.tif 000002
【特許請求の範囲】
【請求項１】
クレジットカードの使用の有無によって付与する第１のポイントを該クレジットカードの種別毎に記憶したカードポイント記憶部と、
購入した商品の精算にクレジットカードを使用する場合に、該クレジットカードを読み取り該クレジットカードの種別を判定するカード種別判定手段と、
前記カードポイント記憶部を参照して前記クレジットカードの種別に対応する第１のポイントを求め、該第１のポイントを付与するポイント付与手段と
を有することを特徴とするＰＯＳ端末装置。
【請求項２】
前記カードポイント記憶部は、クレジットカードの使用額に応じて付与する第２のポイントを該クレジットカードの種別毎に記憶したものであり、
前記ポイン付与手段は、前記カードポイント記憶部を参照して該クレジットカードの種別に対応する第２のポイントを求め、該クレジットカードの使用額と該第２のポイントから算出したポイントを付与するものである
ことを特徴とする請求項１記載のＰＯＳ端末装置。
【請求項３】
前記カードポイント記憶部は、クレジットカードの使用の有無によって付与する第１のポイントと、使用額に応じて付与する第２のポイントを該クレジットカードの種別毎に記憶したものであり、
前記ポイン付与手段は、前記カードポイント記憶部を参照して該クレジットカードの種別に対応する第１と第２のポイントを求め、該第１のポイントに該クレジットカードの使用額と該第２のポイントから算出したポイントを加えたポイントを付与するものである
ことを特徴とする請求項１記載のＰＯＳ端末装置。
【請求項４】
購入した商品の精算にクレジットカードを使用する場合に、該クレジットカードを読み取り該クレジットカードの種別を判定するカード種別判定手段と、
クレジットカードの使用の有無によって付与する第１のポイントを該クレジットカードの種別毎に記憶したカードポイント記憶部を参照して、前記クレジットカードの種別に対応する第１のポイントを求め、該第１のポイントを付与するポイント付与手段と
をコンピュータに機能させるためのポイント付与プログラム。
【請求項５】
前記ポイン付与手段は、クレジットカードの使用額に応じて付与する第２のポイントを該クレジットカードの種別毎に記憶したカードポイント記憶部を参照して、該クレジットカードの種別に対応する第２のポイントを求め、該クレジットカードの使用額と該第２のポイントから算出したポイントを付与するものである
ことを特徴とする請求項４記載のポイント付与プログラム。
【発明の詳細な説明】
【技術分野】
【０００１】
本発明はＰＯＳ（Point Of Sales）端末装置に関し、より詳細にはクレジットカードの使用においてクレジットカードの種別に応じてポイントを付与するＰＯＳ端末装置およびポイント付与プログラムに関する。
【背景技術】
【０００２】
ＰＯＳシステムは当初レジ精算の効率化を狙ったものであったが、現在では売上情報を販売時点でリアルタイムに収集し、単品レベルでの商品管理や販売管理を行うシステムとして小売店舗にとって不可欠なものとなってきている。ＰＯＳシステムはこの他に顧客管理なども行えるため、最近では小売店だけでなく他の業種にも広く導入されるようになってきている。
【０００３】
ＰＯＳシステムは顧客（消費者）や販売環境の変化にともなって、単なるレジスター機能から進化してきている。例えば、ライフスタイルの変化に伴って現金を持ち歩かない顧客の増加、あるいは手持ちの現金を持ち合わせていない顧客に対してＰＯＳシステムは現金支払いの他にクレジットカード（以後、カードとも称する）の支払いも行えるようになっている（例えば、特許文献１）。それも当初は使用できるカードは限定されたものであったが、現在では多くのクレジット会社のカードの使用が可能となっている。顧客も複数枚のカードを所有するようになってきており、ＰＯＳシステムもそれに対応できるようになってきている。また、販売の激化に伴ってＰＯＳシステムは小売店が行うポイントサービスにも対応できるようになっている（例えば、特許文献２）。ポイントサービスは、小売店が顧客に対して購入金額に応じてポイントを付与し、所定のポイント数が貯まると景品や金券に交換できるものである。あるいは購入時の精算にポイント数分の金額を充てることもできるものもある。顧客にとってポイントサービスは魅力的で、同じ商品を購入するのであればポイントサービスを行っている小売店に足を運ぶことになる。即ち、小売店から見れば、リピート客獲得のための囲い込み戦略である。更に、ポイントサービスを受けるにはその小売店の会員となるが、小売店は入会時の申し込みの際に住所や生年月日等の個人情報を得て顧客にポイントカードを渡すことが行われており、この個人情報と販売情報とを用いてマーケティング分析が行える狙いもある。
【０００４】
前述したクレジットカードによる支払いの場合、現金支払いの場合とは異なってポイントサービスを行っていない小売店が多い。これは、顧客がクレジットカードによって支払いを行った場合に、小売店がクレジット会社に一時立て替え分の手数料を支払う必要があり、小売店からみると実質手数料分の割引販売を行ったことになる。このため小売店としては割引を行った上で更にポイントを付与することは厳しいと考え、現金支払いの場合はポイントを付与するが、クレジットカード支払いの場合はポイントの付与は行わない、とする場合が一般的である。
【特許文献１】特開昭６０−６８４６５号公報
【特許文献２】特開昭６３−１４２９７号公報
【発明の開示】
【発明が解決しようとする課題】
【０００５】
上記に示したように顧客がクレジットカードの使用した場合にポイントを付与しないことが行われている。しかし、今後競争が更に激化するとクレジットカードの使用であってもポイントを付与したり、更にはそれに加えてカードを使用したことに対するポイントを付与する等のことが行われてもおかしくない。そのようなサービスをすることが、顧客の増加となり利益につながる、と考える小売店があり得るからである。また、クレジット会社としても自社のカードの使用拡大を図りたいことから、カード使用によるポイント分を小売店に負担しても自社のカードを使用して欲しい、と考えるクレジット会社もあり得る。
【０００６】
本発明の目的は、クレジットカードを使用した場合に、クレジットカードの種別に応じてポイントの付与を行うＰＯＳ端末装置およびポイント付与プログラムを提供することにある。
【課題を解決するための手段】
【０００７】
本発明のＰＯＳ端末装置およびポイント付与プログラムは以下のように構成される。
（１）第１の発明
第１の発明は、使用されたクレジットカードの種別に応じて、クレジットカードが使用されたことのみでポイントの付与を行うものである。
【０００８】
その原理を図１を用いて説明する。第１の発明は、図１に示すようにカードポイント記憶部１、カード種別判定手段２およびポイント付与手段３で構成する。
【０００９】
カードポイント記憶部１はカードの種別（例えば、ＶＩＳＡ（商標）カードやＪＣＢ（商標）カード等の種別）毎に付与するポイント数を第１のポイントとして予め格納した記憶部である。
【００１０】
カード種別判定手段２は、顧客が購入商品の精算にクレジットカードを使用する場合に顧客から提示されたクレジットカードを読み取り、そのカードの種別を判定する。
【００１１】
ポイント付与手段３は、カードポイント記憶部１を参照してカード種別判定手段２によって判定されたカード種別に対応する第１のポイントを求め、この第１のポイントを付与するポイントとするものである。
【００１２】
以上の構成により、顧客はクレジットカードの使用金額に係わらずクレジットカードを使用するだけでポイントの付与を受けることができる。
（２）第２の発明
第２の発明は、使用されたクレジットカードの種別に応じて、その使用額に対してポイントの付与を行うものである。
【００１３】
カードポイント記憶部１にはクレジットカードの種別毎に使用額に応じて付与する第２のポイント（例えば、１０００円当たり１０ポイント等）を予め格納しておく。
【００１４】
カード種別判定手段２は、第１の発明と同じく顧客が購入商品の精算にクレジットカードを使用する場合に顧客から提示されたクレジットカードを読み取り、そのクレジットカードの種別を判定する。
【００１５】
ポイント付与手段３は、カードポイント記憶部１を参照してカード種別判定手段２によって判定されたカード種別に対応する第２のポイントを求め、この第２のポイントと使用額からポイント数を算出し、そのポイントを付与するものである。
【００１６】
以上の構成により、顧客はクレジットカードの使用額に応じたポイントの付与を受けることができる。
（３）第３の発明
第３の発明は、使用されたクレジットカードの種別に応じて、クレジットカードを使用することによるポイントと使用額に対するポイントの両方のポイントの付与を行うものである。
【００１７】
カードポイント記憶部１にはクレジットカードの種別毎に単に使用するだけで付与する第１のポイントと、使用額に応じて付与する第２のポイントを予め格納しておく。  カード種別判定手段２は、第１の発明と同じく顧客が購入商品の精算にクレジットカードを使用する場合に顧客から提示されたクレジットカードを読み取り、そのクレジットカードの種別を判定する。
【００１８】
ポイント付与手段３は、カードポイント記憶部１を参照してカード種別判定手段２によって判定されたクレジットカード種別に対応する第１と第２のポイントを求め、第１のポイントに対してクレジットカードの使用額と第２のポイントとから算出したポイントを加えたポイント数を付与するものである。
【００１９】
以上の構成により、顧客はクレジットカードの使用によるポイントに加えて使用金額に応じてもポイントの付与を受けることができる。
（４）第４の発明
第１の発明をコンピュータで機能させたポイント付与プログラムである。
（５）第５の発明
第２の発明をコンピュータで機能させたポイント付与プログラムである。
【００２０】
ここで、第１から第５の発明のカード種別判定手段における購入商品にはサービスを含むものとする。
【発明の効果】
【００２１】
第１の発明により、クレジット会社は他のクレジット会社との差別化が図れてより手数料の増大が期待できるとともに、小売店にとっても顧客サービスの向上となって他の小売店との差別化が図れて売上増が期待できるＰＯＳ端末装置の提供ができる。
【００２２】
第２、第３の発明により、クレジットカードの使用額、またはそれに加えて単にクレジットカードを使用するだけポイントの付与がなされるため、クレジット会社はより一層の手数料の増大、小売店は売上の増大が期待できるＰＯＳ端末装置の提供ができる。
【００２３】
第４、第５の発明により前述した効果が期待できるポイント付与プログラムの提供ができる。
【発明を実施するための最良の形態】
【００２４】
レジオペレータ操作におけるクレジットカード使用のポイント付与処理が自動的に行えるように実現した。
【実施例１】
【００２５】
次に、本発明について図２から図８を参照して実施形態を説明する。
【００２６】
図２は本発明によるＰＯＳ端末装置の構成を示すものであるが、本発明に必要な構成のみを示している。
【００２７】
ＰＯＳ端末１００は、プログラムの実行やデータを制御するＣＰＵ１１０、各種入出力機器の制御を行う入出力制御部１２０、ＰＯＳ機能の処理を行う処理部１３０、各種データを格納したデータベース（商品情報ＤＢ１４０、顧客情報ＤＢ１５０およびカードポイント情報ＤＢ１６０）から構成する。
【００２８】
入出力制御部１２０には商品の価格等を表示するオペレータディスプレイ１２１およびカスタマディスプレイ１２２、商品に付けられたバーコードを読み取るバーコードスキャナ１２３、買上げ個数等を入力するオペレータキーボード１２４、ポイントカードやクレジットカードの読み取りを行うカードリーダ１２５、レシートの出力を行うプリンタ１２６を接続している。
【００２９】
処理部１３０は、メモリ上に展開しているプログラムであり、商品登録部１３１、ポイント処理部１３２および精算処理部１３３から成る。この処理部１３０の各処理について説明する。
【００３０】
商品登録部１３１は、顧客が購入した商品をバーコードスキャナ１２３で読み取り、商品情報ＤＢ１４０を参照して図示しない一時記憶領域に登録する。総ての購入商品の登録が終了した段階で購入金額、消費税の計算を行う。
【００３１】
ポイント処理部１３２は、購入金額に対して付与するポイント、およびクレジットカード使用の場合に付与するポイントの計算を行う。そして顧客情報ＤＢ１５０に格納されている累積ポイントに今回付与したポイントを合算し、そのポイントの値に顧客情報ＤＢ１５０の累積ポイントを更新する。
【００３２】
精算処理部１３３は、商品登録部１３１で求めた精算額（購入金額に消費税を加えたもの）に対して、現金支払い、クレジットカード支払い、ポイント使用の各処理を行う。現金支払いの場合は、預かり金に対する釣り銭の計算、クレジットカード使用であればクレジット会社に対する本人認証を含めたクレジット手続き、ポイント使用では顧客情報ＤＢ１５０の累積ポイントから使用ポイント分を減算する更新処理を行う。そして、これらの情報を所定の書式によりプリンタ１２６からレシートを出力する。
【００３３】
次に、前述した各データベースについて説明する。
【００３４】
商品情報ＤＢ１４０は、所謂商品マスタで総ての販売商品の情報を格納したものある。例えば図３に示すものでスキャンコード、商品コード、商品名、部門、価格などの各フィールドを含むデータから成り立っている。スキャンコードはバーコードスキャナ１２３から読み取ったコードで、ＪＡＮ(Japanese Article Number) コードまたはインストアマーキングコードである。商品コードは店舗が独自に設定したコードである。
【００３５】
顧客情報ＤＢ１５０は、例えばポイントカードの新規作成時に顧客に記入してもらった情報を記憶したもので、顧客コード、顧客名、住所、性別、累計ポイント数などのフィールドを含むものである。本発明に関係あるフィールドは顧客コードと累計ポイント数であるのでその部分の例を図４に示す。
【００３６】
カードポイント情報ＤＢ１６０は、クレジットカードの使用により付与するポイント数を記憶したもので、図５にそのデータ例を示す。図５は、クレジット会社コード、カードポイント、開始日、終了日等のフィールドから構成している。クレジット会社コードはＶＩＳＡ（商標）カードやＪＣＢ（商標）カード等のカードの種別を識別するコードである。カードポイントはＰ１とＰ２のフィールドからなり、Ｐ１はクレジットカードを使用したことで付与するポイント数を設定したフィールドであり、Ｐ２はクレジットカードの使用額に応じて付与するポイント数を設定（ここでは、１０００円の使用額に対するポイント数）したフィールドである。また、Ｐ１に「−９９９」を設定した場合は、当該クレジットカードを使用すると、カード使用によるポイントだけでなく、通常付与する購入額に対するポイントも付与しない、ことを示している。開始日と終了日とのフィールドによりポイントサービスを行う期間の設定ができ、終了日が「９９９９．９９．９９」の場合は無期限であるを示す。例えば、クレジット会社コードが「００１」のクレジットカードは、クレジットカードを使用すると１０ポイントが付与されるが、その付与される期間は２００３年８月２０日から同年の９月１０日までであることを示している。また、クレジット会社コードが「０１０」の場合は、２００３年８月１日より無期限で総てのポイント（購入によるポイントおよびカード使用によるポイント）を付与しないことを示している。      
【００３７】
次に、本発明の実施形態の処理フローを図６および図７を用いて説明する。ここでは、顧客が購入店の会員でポイントカードを所有し、購入額の精算にクレジットカードを使用する場合の例で説明する。
【００３８】
図６は全体の処理フローを示すもので、まずレジオペレータにより顧客が買い上げた商品をバーコードスキャナ１２３を用いて登録する。総ての商品の登録が終了した時点で購入金額、それに掛かる消費税、合計額（購入金額と消費税との合計）を計算する。ここまでが商品登録の処理で、図２の構成例では商品登録部１３１で実行される。（Ｓ１０１〜Ｓ１０３）。
【００３９】
続いて、ポイント処理となり、顧客からポイントカードを受け取りカードリーダ１２５で読み取る。ポイントカードには顧客コードが記憶されているので、この顧客コードを基に顧客情報ＤＢ１５０を参照して累積ポイントを取り込む。一方、商品登録処理で計算した購入金額を基に購入ポイントを計算する。この購入ポイントは精算方法に係わらず購入金額に応じて付加されるポイントである。続いて、顧客からクレジットカードを受け取り、カードリーダ１２５で読み取る。読み取ったクレジットカードの情報からクレジット会社のコードに基づいてカード使用によるポイントを後述するカードポイント計算ルーチンにより求める。カードポイント計算ルーチンで求めたカードポイントが「−９９９」でなければ、累積ポイントに購入ポイントとカードポイントとを加えたポイントを新たな累計ポイントとして顧客情報ＤＢ１５０を更新する（上書きする）。カードポイントが「−９９９」であるときは、購入ポイントとカードポイントをそれぞれ「０」とする（カードポイントが「−９９９」の場合は、この数値はポイント数ではなく、購入ポイントとカードポイントとを共に「０」とするフラグとして扱っている）。以上がポイント処理で、図２のポイント処理部１３２で実行される。（Ｓ１０４〜Ｓ１１２）。
【００４０】
次に精算処理を行う。クレジットカード支払いであるのでここでクレジット会社との遣り取り、もし精算額の一部を現金で支払う場合は預かり金と釣り銭の処理、また累積していたポイントを精算に使用すればその処理がここで行われる（具体的な遣り取りは本発明に関係しないので省略する）。購入商品の情報、ポイントの情報、精算に関する情報を所定の書式にまとめ、プリンタ１２６からレシートの出力を行う。図８は出力したレシートの例を示すもので、購入金額は１，８００円でこれに対する消費税９４円、合計１，８９４円が精算金額となり、これらは図８の購入情報に示される。次に図８の精算情報としてクレジットの情報を示している。「００１  ＭＡＩＳＯＮ  ２００５／１０」はそれぞれクレジット会社コード、カード名、カード有効期限の情報である。続いて、クレジット会員番号、支払い区分コードと支払い方法、処理ステータスと伝票番号等を記載している。またポイント情報の部分では、ポイントサービスの会員番号に加えて前回ポイント（前回までの累積ポイント）、今回ポイント（今回の購入ポイント）、クレジットポイント（後述するクレジット使用によるポイント）、累積ポイント（今回付与したポイントを含めた累積のポイント）を示している。（Ｓ１１３、Ｓ１１４）。
【００４１】
次に、前述したカードポイント計算ルーチンの処理フローについて図７を用いて説明する。まず、クレジットカードの読み取りで得られたクレジット会社のコードを基に、カードポイント情報ＤＢ１６０を参照してカードポイントフィールドのＰ１とＰ２フィールドの設定値を求める。そして、求めたＰ１が「−９９９」でなく、Ｐ１とＰ２が共に「空白（設定値なし）」でない場合に、取引当日がサービス期間内であるかどうかを開始日と終了日フィールドとに設定された日付を参照して確認し、サービス期間内であれば「Ｐ１＋使用金額＊Ｐ２／１０００」を計算してカードポイントとする。例えば、購入金額が図８のレシードに示す１，８９４円で、クレジットカードのクレジット会社コードが「００５」を使用した場合、図５のカードポイント情報ＤＢ１６０を参照してＰ１は「３」、Ｐ２は「５」であるので、カード使用による３ポイントと使用額による９ポイントの合計１２ポイントがカード使用によるポイントとして付与されることになる（取引当日がサービス期間であるとする）。図８のレシートのポイント情報には今回の購入による１８ポイントおよびカードポイントとしての１２ポイントがそれぞれ示されている。（Ｓ２０１〜Ｓ２０５）。
【００４２】
Ｐ１とＰ２が共に「空白」か、サービス期間外であるときは、カードポイントは「０」とする。また、Ｐ１が「−９９９」であるときは、カードポイントを「−９９９」とする。これは、本ルーチンを終了したときポイントの付与を一切行わない（購入ポイントおよびカードポイントは共に「０」）を意味するフラグとして扱う。（Ｓ２０６、Ｓ２０７）。
【００４３】
以上の実施形態に関し、さらに以下の付記を開示する。
（付記１）
クレジットカードの使用の有無によって付与する第１のポイントを該クレジットカードの種別毎に記憶したカードポイント記憶部と、
購入した商品の精算にクレジットカードを使用する場合に、該クレジットカードを読み取り該クレジットカードの種別を判定するカード種別判定手段と、
前記カードポイント記憶部を参照して前記クレジットカードの種別に対応する第１のポイントを求め、該第１のポイントを付与するポイント付与手段と
を有することを特徴とするＰＯＳ端末装置。
（付記２）
前記カードポイント記憶部は、クレジットカードの使用額に応じて付与する第２のポイントを該クレジットカードの種別毎に記憶したものであり、
前記ポイン付与手段は、前記カードポイント記憶部を参照して該クレジットカードの種別に対応する第２のポイントを求め、該クレジットカードの使用額と該第２のポイントから算出したポイントを付与するものである
ことを特徴とする付記１記載のＰＯＳ端末装置。
（付記３）
前記カードポイント記憶部は、クレジットカードの使用の有無によって付与する第１のポイントと、使用額に応じて付与する第２のポイントを該クレジットカードの種別毎に記憶したものであり、
前記ポイン付与手段は、前記カードポイント記憶部を参照して該クレジットカードの種別に対応する第１と第２のポイントを求め、該第１のポイントに該クレジットカードの使用額と該第２のポイントから算出したポイントを加えたポイントを付与するものである
ことを特徴とする付記１記載のＰＯＳ端末装置。
（付記４）
購入した商品の精算にクレジットカードを使用する場合に、該クレジットカードを読み取り該クレジットカードの種別を判定するカード種別判定手段と、
クレジットカードの使用の有無によって付与する第１のポイントを該クレジットカードの種別毎に記憶したカードポイント記憶部を参照して、前記クレジットカードの種別に対応する第１のポイントを求め、該第１のポイントを付与するポイント付与手段と
をコンピュータに機能させるためのポイント付与プログラム。
（付記５）
前記ポイン付与手段は、クレジットカードの使用額に応じて付与する第２のポイントを該クレジットカードの種別毎に記憶したカードポイント記憶部を参照して、該クレジットカードの種別に対応する第２のポイントを求め、該クレジットカードの使用額と該第２のポイントから算出したポイントを付与するものである
ことを特徴とする付記４記載のポイント付与プログラム。
（付記６）
購入した商品の精算にクレジットカードを使用する場合に、該クレジットカードを読み取り該クレジットカードの種別を判定するカード種別判定手順と、
クレジットカードの使用の有無によって付与する第１のポイントを該クレジットカードの種別毎に記憶したカードポイント記憶部を参照して、前記クレジットカードの種別に対応する第１のポイントを求め、該第１のポイントを付与するポイント付与手順と
を有することを特徴とするＰＯＳ装置のポイント付与方法。
【図面の簡単な説明】
【００４４】
【図１】発明の原理図である。
【図２】実施形態におけるＰＯＳ端末装置の構成例である。
【図３】商品情報ＤＢのデータ例である。
【図４】顧客情報ＤＢのデータ例である。
【図５】カードポイント情報ＤＢのデータ例である。
【図６】実施形態における処理フロー例（その１）である。
【図７】実施形態における処理フロー例（その２）である。
【図８】レシートの出力例である。
【符号の説明】
【００４５】
１      カードポイント記憶部
２      カード種別判定手段
３      ポイント付与手段
１００  ＰＯＳ端末
１１０  ＣＰＵ
１２０  入出力制御部
１２１  オペレータディスプレイ
１２２  カスタマディスプレイ
１２３  バーコードスキャナ
１２４  オペレータキーボード
１２５  カードリーダ
１２６  プリンタ
１３０  処理部
１３１  商品登録部
１３２  ポイント処理部
１３３  精算処理部
１４０  商品情報ＤＢ
１５０  顧客情報ＤＢ
１６０  カードポイント情報ＤＢ
【図１】
2005174252.tif 000003
【図２】
2005174252.tif 000004
【図３】
2005174252.tif 000005
【図４】
2005174252.tif 000006
【図５】
2005174252.tif 000007
【図６】
2005174252.tif 000008
【図７】
2005174252.tif 000009
【図８】
2005174252.tif 000010